(57)【要約】【課題】尿もしくは血液その他の液体を、円滑に、また短時間のうちに速やかに採取することのできる採液管を提供する。【解決手段】本発明の採液管１は、一端側に開口部２ａを有し、且つ他端側を密閉する底２ｂ付きの管状部材２の一端側部分に、前記開口部２ａを密閉する栓部材３を取り付けてなるものであって、前記栓部材３を、前記管状部材２の一端側部分に気密に取り付けるとともに、該栓部材３に、該栓部材３の外表面３ａおよび内表面３ｂのうちの少なくとも外表面３ａに開口して前記管状部材２の軸線方向と直交して延びるスリット５を形成し、管内部の気密性を確保して管内部を負圧雰囲気としてなることを特徴とするものである。【選択図】図３
2014066552.tif 000002
【特許請求の範囲】
【請求項１】
一端側に開口部を有し、且つ他端側を密閉する底付きの管状部材の一端側部分に、前記開口部を密閉する栓部材を取り付けてなる採液管であって、
前記栓部材を、前記管状部材の一端側部分に気密に取り付けるとともに、該栓部材に、該栓部材の外表面および内表面のうちの少なくとも外表面に開口して前記管状部材の軸線方向と直交して延びるスリットを形成し、管内部の気密性を確保して管内部を負圧雰囲気としてなることを特徴とする採液管。
【請求項２】
前記スリットを、前記栓部材の外表面および内表面のそれぞれに開口するとともに、該外表面から該内表面まで貫通するものとし、
前記スリットの延在方向に沿うスリット長さを、前記栓部材の内表面側の部分よりも外表面側の部分で短くしたことを特徴とする請求項１に記載の採液管。
【請求項３】
前記スリット長さを、前記栓部材の内表面側の部分よりも外表面側の部分で、前記スリットの延在方向に沿う段差を介して短くしたことを特徴とする請求項２に記載の採液管。
【請求項４】
前記スリットの延在方向に沿うスリット長さを、前記栓部材の内表面側に向かうに従い漸減させるとともに、該内表面に達する手前で消失させて、該スリットが、前記栓部材の外表面および内表面のうちの外表面だけに開口するものとしたことを特徴とする請求項１に記載の採液管。
【請求項５】
前記スリットを、前記栓部材の外表面に開口するとともに、該スリットの延在方向に沿うスリット長さを、前記栓部材の内表面側に向かうに従い漸減させてなる外側スリット部分と、前記内表面に開口するとともに、該スリットの延在方向に沿うスリット長さを、前記外表面に向かうに従い漸減させてなる内側スリット部分とで構成し、
前記スリットの前記外側スリット部分と前記内側スリット部分とのそれぞれのスリット長さをともに、該外側スリット部分および該内側スリット部分の相互が繋がる手前で消失させたことを特徴とする請求項１に記載の採液管。
【請求項６】
前記栓部材の内表面の周縁部に、該周縁部の内周側の、前記スリットを形成した中央部よりも管内部側に突出する内側環状リブを設けたことを特徴とする請求項１〜５のいずれかに記載の採液管。
【請求項７】
前記栓部材の外表面の周縁部に、該周縁部の内周側の、前記スリットを形成した中央部よりも管外部側に突出する外側環状リブを設けたことを特徴とする請求項１〜６のいずれかに記載の採液管。
【請求項８】
前記管状部材の一端側部分の内側面に、該内側面から内周側に迫り出すとともに前記開口部側に延びる落込み防止凸部を設け、前記開口部に嵌め込んだ前記栓部材の内表面に、前記落込み防止凸部が嵌り込む内側嵌合凹部を設けたことを特徴とする請求項１〜７のいずれかに記載の採液管。
【請求項９】
前記栓部材の内表面側の箇所の、前記内側嵌合凹部より内周側で前記落込み防止凸部の内周面に嵌り込む内周側嵌合部の外径を、前記栓部材を前記管状部材から取り外した状態で、前記落込み防止凸部の内径より大きくするとともに、前記栓部材の、前記内側嵌合凹部の底部分よりも前記開口部側に位置する中間嵌合部の外径を、前記栓部材を前記管状部材から取り外した状態で、前記管状部材の前記内側面の内径よりも大きくしたことを特徴とする請求項８に記載の採液管。
【請求項１０】
前記管状部材の一端側部分に、該一端側部分の周囲を取り囲む筒状の側壁部分と、該側壁部分に連続して内周側に延びて、前記管状部材と前記栓部材との接触域を全周にわたって覆う内向きフランジ部分とを有する環状シール部材を設け、
前記環状シール部材の前記内向きフランジ部分に、該内向きフランジ部分から前記栓部材側に延びる抜け止め凸部を設け、前記開口部に嵌め込んだ前記栓部材の外表面に、前記抜け止め凸部が嵌り込む外側嵌合凹部を設けたことを特徴とする請求項１〜８のいずれかに記載の採液管。
【請求項１１】
一方の端部にチューブが取り付けられるとともに、他方の端部に開口箇所を有する外筒と、前記外筒の内側で該外筒の軸線方向に沿って延びて、内部を流動する液体を外部に連通させる連通孔を形成した内筒と、前記外筒の内側に、前記内筒を取り囲んで配置されて、前記外筒の前記開口箇所を開閉する環状弁体と、該環状弁体を、前記外筒の前記一方の端部側から付勢する弾性部材とを具えるコネクタに嵌合可能な、請求項１〜１０のいずれかに記載の採液管。
【発明の詳細な説明】
【技術分野】
【０００１】
本発明は、一端側に開口部を有し、且つ他端側を密閉する底付きの管状部材の一端側部分に、前記開口部を密閉する栓部材を取り付けてなる採液管、とくには、シリンジ、コネクタその他の接続器具に接続されて、尿もしくは血液等の液体を採取するための採液管に関するものである。
【背景技術】
【０００２】
採尿管もしくは採血管等としてのこの種の採液管は、尿の色調、混濁確認、粘度等の目視による観察や、ぶどう糖、ビリルビン、ｐＨ、ケトン、白血球、亜硝酸塩、ウロビリノーゲン、タンパク質、尿潜血、尿中の細菌混入の確認を行う尿定性検査等の試験に供するための尿、血液その他の液体を患者等から直接的ないし間接的に採取して、その液体を管内部に収容するものである。
【発明の概要】
【発明が解決しようとする課題】
【０００３】
ところで、たとえば、泌尿器の機能の低下により自己の意思で排尿することが困難な患者は、導尿カテーテルを介して膀胱とつなげられた、いわゆる蓄尿バッグを用いて排尿行為を行う場合があるが、従来は、試験に供するための所定量の新鮮な尿を、このような患者の膀胱や、いつの時点から貯留されているか不明確な蓄尿バッグからから直接的に採取することが難しく、それ故に、泌尿器の機能の低下した患者であっても、円滑かつ速やかに尿を採取できる採尿管が望まれていた。
【０００４】
本発明は、従来技術が抱えるこのような問題を解決することを課題とするものであり、それの目的とするところは、尿もしくは血液その他の液体を、円滑に、また短時間のうちに速やかに採取することのできる採液管を提供することにある。
【課題を解決するための手段】
【０００５】
本発明の採液管は、一端側に開口部を有し、且つ他端側を密閉する底付きの管状部材の一端側部分に、前記開口部を密閉する栓部材を取り付けてなるものであって、前記栓部材を、前記管状部材の一端側部分に気密に取り付けるとともに、該栓部材に、該栓部材の外表面および内表面のうちの少なくとも外表面に開口して前記管状部材の軸線方向と直交して延びるスリットを形成し、管内部の気密性を確保して管内部を負圧雰囲気としてなることを特徴とするものである。
【０００６】
本発明のこの採液管では、前記スリットを、前記栓部材の外表面および内表面のそれぞれに開口するとともに、該外表面から該内表面まで貫通するものとし、前記スリットの延在方向に沿うスリット長さを、前記栓部材の内表面側の部分よりも外表面側の部分で、たとえば、前記スリットの延在方向に沿う段差を介して短くすることが好ましい。
【０００７】
また、本発明の採液管では、前記スリットの延在方向に沿うスリット長さを、前記栓部材の内表面側に向かうに従い漸減させるとともに、該内表面に達する手前で消失させて、該スリットが、前記栓部材の外表面および内表面のうちの外表面だけに開口するものとすることが好ましい。
あるいは、前記スリットを、前記栓部材の外表面に開口するとともに、該スリットの延在方向に沿うスリット長さを、前記栓部材の内表面側に向かうに従い漸減させてなる外側スリット部分と、前記内表面に開口するとともに、該スリットの延在方向に沿うスリット長さを、前記外表面に向かうに従い漸減させてなる内側スリット部分とで構成し、前記スリットの前記外側スリット部分と前記内側スリット部分とのそれぞれのスリット長さをともに、該外側スリット部分および該内側スリット部分の相互が繋がる手前で消失させることが好ましい。
【０００８】
なお、本発明の採液管では、前記栓部材の内表面の周縁部に、該周縁部の内周側の、前記スリットを形成した中央部よりも管内部側に突出する内側環状リブを設けることが好ましい。
また好ましくは、前記栓部材の外表面の周縁部に、該周縁部の内周側の、前記スリットを形成した中央部よりも管外部側に突出する外側環状リブを設ける。
【０００９】
ところで、本発明の採液管では、前記管状部材の一端側部分の内側面に、該内側面から内周側に迫り出すとともに前記開口部側に延びる落込み防止凸部を設け、前記開口部に嵌め込んだ前記栓部材の内表面に、前記落込み防止凸部が嵌り込む内側嵌合凹部を設けることが好ましい。
この場合においては、前記栓部材の内表面側の箇所の、前記内側嵌合凹部より内周側で前記落込み防止凸部の内周面に嵌り込む内周側嵌合部の外径を、前記栓部材を前記管状部材から取り外した状態で、前記落込み防止凸部の内径より大きくするとともに、前記栓部材の、前記内側嵌合凹部の底部分よりも前記開口部側に位置する中間嵌合部の外径を、前記栓部材を前記管状部材から取り外した状態で、前記管状部材の前記内側面の内径よりも大きくすることが好ましい。
【００１０】
また、本発明の採液管では、前記管状部材の一端側部分に、該一端側部分の周囲を取り囲む筒状の側壁部分と、該側壁部分に連続して内周側に延びて、前記管状部材と前記栓部材との接触域を全周にわたって覆う内向きフランジ部分とを有する環状シール部材を設け、前記環状シール部材の前記内向きフランジ部分に、該内向きフランジ部分から前記栓部材側に延びる抜け止め凸部を設け、前記開口部に嵌め込んだ前記栓部材の外表面に、前記抜け止め凸部が嵌り込む外側嵌合凹部を設けることが好ましい。
【００１１】
そして、本発明の採液管は、一方の端部にチューブが取り付けられるとともに、他方の端部に開口箇所を有する外筒と、前記外筒の内側で該外筒の軸線方向に沿って延びて、内部を流動する液体を外部に連通させる連通孔を形成した内筒と、前記外筒の内側に、前記内筒を取り囲んで配置されて、前記外筒の前記開口箇所を開閉する環状弁体と、該環状弁体を、前記外筒の前記一方の端部側から付勢する弾性部材とを具えるコネクタに嵌合可能なものとすることが好ましい。
【発明の効果】
【００１２】
本発明の採液管によれば、栓部材に、その栓部材の少なくとも外表面に開口して前記管状部材の軸線方向と直交して延びるスリットを形成し、管内部の気密性を確保して管内部を負圧雰囲気としたことにより、たとえば、シリンジや、一端を患者の膀胱内に留置した導尿カテーテルの他端に設けたコネクタ等の接続器具の先端部を、前記栓部材のスリットに挿入することで、尿、血液その他の液体を、管内部の負圧雰囲気に基いて接続器具から吸引して、そのような液体を管内部に、円滑かつ、短時間のうちに速やかに採取することができる。
【図面の簡単な説明】
【００１３】
【図１】本発明の採液管の一の実施形態を示す斜視図である。
【図２】図１の採液管を構成する各部材を示す分解斜視図である。
【図３】図１の採液管を、その採液管に接続可能な接続器具とともに示す、採液管の軸線方向に沿う断面図である。
【図４】図３の採液管と接続器具とを嵌め合わせた状態を示す、図３と同様の断面図である。
【図５】図１の採液管が具える栓部材の変形例を示す、栓部材に設けたスリットの延在方向に沿う要部拡大断面図である。
【図６】図１の採液管が具える栓部材および、その栓部材に設けるスリットの変形例を示す、スリットの延在方向に沿う要部拡大断面図である。
【図７】本発明の採液管の他の実施形態を示す、管状部材の軸線方向に沿う要部拡大断面図である。
【発明を実施するための形態】
【００１４】
以下に図面を参照しながら、本発明の実施の形態について説明する。
図１に示す採液管１は、一端側（図１では右側）に開口部２ａを有し、他端側（図１では左側）を密閉する底２ｂ付きの、たとえば円管状をなす管状部材２と、図２に分解斜視図で示すように、管状部材２の一端側部分に取り付けられて、開口部２ａを密閉する円盤状等の栓部材３とを具えてなる。
【００１５】
そしてこの採液管１では、管状部材２の、栓部材３を取り付けた一端側部分に、その一端側部分の周囲を取り囲んで配設されて、開口部２ａへの栓部材３の取付け部分での気密性を確保する環状シール部材４を設けることにより、栓部材３の、管状部材２の一端側部分への気密な取付けを実現する。
またここでは、栓部材３に、管状部材２の軸線方向と直交する方向で、円盤状をなす栓部材３の半径方向に直線状に延びて、図３に断面図で示すように、たとえば、栓部材３の、管外部を向く外表面３ａから、管内部を向く内表面３ｂまで貫通する一本のスリット５を設け、そして、管内部の内圧を大気圧よりも低くして、管内部を負圧雰囲気とする。なお、管内部の内圧は、事前に製造工程で減圧することが一般的であり、その手法としては、栓部材を管状部材に打栓する際に管状部材内の空気を減圧（吸引）させる方法が考えられる。
【００１６】
たとえば、尿、血液、腹水／胸水、胆汁、消化管液、術野浸出液、術野の洗浄液、脳脊髄液のドレナージ液、腹膜透析液その他の液体を採取するためのこのような採液管１は、図３に例示するような、接続器具としてのコネクタ５０の先端部を、管状部材２の開口部２ａに嵌め込んだ栓部材３のスリット５に挿入することにより、液体が、管内部の負圧雰囲気に基いて接続器具から吸引されることになるので、たとえば、この採液管１を、尿を採取する採尿管として用いた場合、泌尿器の機能の低下した患者であっても、尿を管内部に、円滑かつ速やかに採取することができる。
【００１７】
ここで、泌尿器の機能が低下した患者は、導尿カテーテルを介して膀胱に連結された蓄尿バッグを用いて排尿行為を行う場合があるが、この導尿カテーテルの途中には、患者が蓄尿バッグから離れて、いわゆるリハビリや入浴等をするための、相互に嵌合可能な一対のコネクタを設けることがある。
そして、上述した採液管１は、このような一対のコネクタのうちの、膀胱に留置したチューブ側の先端に設けるコネクタ５０に嵌合可能とすることが、上記の患者からの尿の採取を容易に行うことができる点で好ましい。
【００１８】
ここにおいて、図３に断面図で例示するコネクタ５０は、図３では右側に位置する一方の端部に、図示しないチューブが取り付けられるとともに、図３では左側に位置する他方の端部に開口箇所５１ａを有する外筒５１と、前記外筒５１の内側で該外筒５１の軸線方向（図３では左右方向）に沿って延びて、内部を流動する液体を外部に連通させる連通孔５２ａを先端側に形成した円筒状の内筒５２と、前記外筒５１の内側に、前記内筒５２を取り囲んで配置されて、前記外筒５１の前記開口箇所５１ａを開閉する、弾性材料からなる環状弁体５３と、該環状弁体５３を、前記外筒５１の前記一方の端部側から付勢する、コイルばね等の弾性部材５４とを具えるものである。
【００１９】
なお、このようなコネクタ５０は、図３に示すように、外筒５１の内側で内筒５２の外周側に、環状弁体５３をその背面側からバックアップする剛性支持部材５５を、環状弁体５３の背面に沿って設け、この剛性支持部材５５を介して、弾性部材５４により環状弁体５３を付勢させることができる。
また、図示のコネクタ５０では、外筒５１を、外筒５１の他方の端部側の、前記開口箇所５１ａを形成した円筒状部材５６、および、外筒５１の一方の端部側に位置して前記円筒状部材５６に取り付けられて、チューブの連結に供されるチューブ連結部材５７で構成し、そして、そのチューブ連結部材５７の、前記一方の端部側の小径部分の外面に、チューブの端部に挿入された際にその端部を摩擦係合させるための複数のテーパ状段差を形成している。
【００２０】
図３に例示するコネクタ５０に採液管１を嵌め合わせるに当っては、図４に示すように、採液管１の管状部材２の一端側部分を、コネクタ５０の外筒５１の開口箇所５１ａ内に入れ込むとともに、コネクタ５０の内筒５２の先端部５２ｂを、採液管１の栓部材３のスリット５に挿入する。
それにより、管状部材２の一端側部分に設けた環状シール部材４が、コネクタ５０の環状弁体５３を、弾性部材５４の付勢力に抗して外筒５１の内側に押し込むとともに、栓部材３のスリット５内に入り込んだ内筒５２の連通孔５２ａが、採液管１の内部に位置することになる。
その結果、管内部の負圧雰囲気に基いて、チューブを流動する液体が、内筒５２および、その連通孔５２ａを介して、採液管１の管内部に吸引されることになって、コネクタ５０のように閉じられた場合でも、管内部に当該液体を採取することができる。
【００２１】
ところで、上記の採液管１を、コネクタ５０等の接続器具に接続する際には、コネクタ５０の、略円筒状をなす先端部５２ｂが、栓部材３のスリット５に挿入される際に、当該先端部５２ｂによって直接的に押し広げられる、スリット５の延在方向の中央部分は大きく開く一方で、スリット５の延在方向の端部５ａ，５ｂは、それの周囲の縁部が先端部５２ｂに接触しないが、前記中央部分に引き摺られて小さく開くことになり、それにより、スリット５の端部５ａ，５ｂで、先端部５２ｂとの間に隙間が発生して、そこでの液漏れ、管内部の外気への連通が生じるおそれがある。
【００２２】
このような隙間の発生を防止するためには、図５に、スリットの延在方向に沿う拡大断面図で示すように、たとえば、管状部材２の一端側部分の内側に嵌め込んだ栓部材１３に設けるスリット１５の、栓部材１３の外表面１３ａ側の部分における、スリット１５の延在方向のスリット長さＬａを、栓部材の内表面１３ｂ側の部分における同様のスリット長さＬｂよりも短くすることが好ましい。
【００２３】
このことによれば、スリット１５の、外表面１３ａ側の部分の各端部に、内表面１３ｂ側の部分とのスリット長さの相違に起因して、弾性材料からなる栓部材１３の一部をなす隙間充填部分１３ｃ，１３ｄのそれぞれが形成されることになり、それらの隙間充填部分１３ｃ，１３ｄが、スリット１５への先端部５２ｂの挿入に際し、スリット中央部分の変形に追従して、スリット端部で先端部５２ｂとの周囲に発生する隙間を埋めるべく弾性変形することになるので、かかる隙間の発生が招く、そこでの液体の漏出および、管内部の、外気への連通をともに有効に防止することができる。その結果として、接続器具からの液体の吸引に際する、その接続部での液漏れを有効に防止するとともに、接続器具の接続後の、液体の吸引途中においても管内部の所要の気密性を確保することができる。
【００２４】
ここで、スリット長さを長く確保し、かつ採液管の径も最小にするとの観点からは、スリット長さを、図５に示すように、栓部材１３の内表面１３ｂ側の部分よりも外表面１３ａ側の部分で、前記管状部材２の軸線方向に直交する方向に沿う９０°の段差を介して短くすることが好ましいが、当該段差は、図示は省略するが、軸線方向に直交する方向に対して傾斜する一の直線形状、または、複数の直線を繋いでなる形状とし、あるいは、スリット１５の、内表面１３ｂ側の部分と外表面１３ａ側の部分とを滑らかに連結する曲線形状等の様々な形状とすることもできる。
また、スリットに入るコネクタの中筒の径を考えスリット長さを規定している関係で、段差が９０°より浅くなると中筒が入らなくなる可能性があるため９０°が望ましい。
【００２５】
なお、図５に示すところでは、栓部材１３の内表面１３ｂの周縁部に、その周縁部の内周側の、スリット１５を形成した中央部よりも管内部側に突出する内側環状リブ１６を設けているも、このような内側環状リブ１６を配設することは、コネクタ５０等の先端部５２ｂの挿入および抜き取りを繰り返して行うことに伴う、スリット１５の、内表面１３ｂ側の端部での亀裂の発生ないし進展を防止できる点で好ましい。
また、図示は省略するが、スリットの、栓部材の外表面側の端部での亀裂の発生・進展を防止するためには、栓部材の外表面の周縁部に、該周縁部の内周側の、前記スリットを形成した中央部よりも管外部側に突出する外側環状リブを設けることが好ましい。
【００２６】
またここで、栓部材に設けるスリットは、栓部材の外表面および内表面のうちの外表面だけに開口させて、栓部材の外表面から内表面まで貫通しないものとすることもでき、たとえば、図６（ａ）に示すところでは、スリット２５の延在方向に沿うスリット長さＬａを、前記栓部材２３の外表面２３ａから内表面２３ｂ側に向かうに従い漸減させるとともに、その内表面２３ｂに達する手前で消失させて、スリット２５が、栓部材２３の外表面２３ａおよび内表面２３ｂのうちの外表面２３ａだけに開口するものとしている。
この場合、コネクタ５０の先端部５２ｂがスリット２５に挿入された際に、スリット２３が、栓部材２３の内表面２３ｂにも開口して、スリット２５が外表面２３ａから内表面２３ｂまで貫通することになり、先端部５２ｂの挿入前においては、貫通しないスリット２５での気密性を大きく高めることができる。
【００２７】
そしてまた、図６（ｂ）に示すように、栓部材３３の外表面３３ａに開口するとともに、スリット長さＬａを、前記栓部材３３の内表面３３ｂ側に向かうに従い漸減させてなる外側スリット部分３５ａと、内表面３３ｂに開口するとともに、スリット長さＬｂを、外表面３３ａに向かうに従い漸減させてなる内側スリット部分３５ｂとで構成されるスリット３５とし、それらの外側スリット部分３５ａと内側スリット部分３５ｂとのそれぞれのスリット長さＬａ，Ｌｂをともに、外側スリット部分３５ａおよび内側スリット部分３５ｂの相互が繋がる手前で消失させることができる。図６（ｂ）に示すスリット３５では、スリット３５が外表面３３ａおよび内表面３３ｂの両表面に開口するが、スリット３５が貫通しないので、この場合においてもまた、コネクタ５０との接続前の、管内部の負圧雰囲気を、長期間にわたって有効に確保することができる。
【００２８】
図７に示す他の実施形態は、管状部材の一端側開口部の密閉構造を変更したことを除いて、先に述べた実施形態と同様の構成を有するものである。
図７に示すところでは、管状部材４２の一端側部分の内側に、略円盤状をなす、スリット４５付きの栓部材４３を圧縮状態で嵌め込んで取り付けるとともに、その一端側部分に、管状部材４２と栓部材４３との接触域での気密性を確保する環状シール部材４４を、その一端側部分の周囲を取り囲んで設けている。
【００２９】
ここで、図７に示す環状シール部材４４は、管状部材４２の一端側部分を取り囲む円筒状の側壁部分４４ａと、側壁部分４４ａの、開口部４２ａ側の端部から内周側に連続して延びて、開口部４２ａで管状部材４２と栓部材４３との接触域を全周にわたって覆う内向きフランジ部分４４ｂとを有し、さらに、この内向きフランジ部分４４ｂに、内向きフランジ部分４４ｂの内周側先端から栓部材４３に向けて延びる環状の抜け止め凸部４４ｃを設けてなる。
【００３０】
そして、栓部材４３の外表面４３ａには、環状シール部材４４の上記の前記抜け止め凸部４４ｃが嵌り込む外側嵌合凹部４３ｃを設けている。
このような抜け止め凸部４４ｃおよび外側嵌合凹部４３ｃを設けることは、コネクタ５０等の先端部５２ｂをスリット４５に挿入して、管内部に液体を採取した後、当該先端部５２ｂをスリット４５から引き抜く際に、栓部材４３の、管状部材４２からの抜け出しを防止することができる点で好ましい。
【００３１】
また、図７に示すこの実施形態では、管状部材４２の一端側部分の内側面に、その内側面から内周側に迫り出すとともに、開口部４２ａに向けて延びる落込み防止凸部４２ｂを設け、栓部材４３の内表面４３ｂに、この落込み防止凸部４２ｂが嵌り込む内側嵌合凹部４３ｄを設ける。
このことによれば、コネクタ５０の先端部５２ｂをスリット４５に挿入した際の、栓部材４３の、管内部への落込みを防止することができる。
【００３２】
ここにおいて、たとえば、管状部材４２の軸線方向に直交する、栓部材４３の半径方向に沿って延びるとともに、栓部材４３の外表面４３ａから内表面４３ｂまで貫通する一本のスリット４５での気密性を高めるため、栓部材４３の内表面４３ｂ側の箇所の、内側嵌合凹部４３ｄより内周側で落込み防止凸部４２ｂの内周面に嵌り込む内周側嵌合部４３ｅの外径を、栓部材４３を管状部材４２から取り外した状態で、落込み防止凸部４２ｂの内径Ｄ１よりも大きくするとともに、栓部材４３の、内側嵌合凹部４３ｄの底部分よりも開口部４２ａ側に位置する中間嵌合部４３ｆの外径を、栓部材４３を管状部材４２から取り外した状態で、管状部材４２の内側面の内径Ｄ２よりも大きくすることが好ましい。
【００３３】
それにより、栓部材４３が、内周側嵌合部４３ｅおよび中間嵌合部４３ｆの二箇所で、管状部材４２により半径方向内向きに圧縮されて、当該栓部材４３に設けたスリット４５が、より気密に閉塞することになるので、スリット４５での気密性を一層向上させることができる。その結果として、管内部の負圧雰囲気を、コネクタ５０に接続されるまでの間、長期間にわたって確保することが可能になる。
【００３４】
なお、上述した採液管では、管状部材の材質として、たとえば、ポリエチレン、ポリプロピレン、エチレン−プロピレン共重合体、エチレン−酢酸ビニル共重合体（ＥＶＡ）等のポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂等の各種樹脂材料、あるいはこれらのうちの一種以上を含むブレンド体、ポリマーアロイ等を用いることができる。また、その他にも、各種ガラス材、セラミックス材料、金属材料で構成することも可能である。
【００３５】
また、環状シール部材の材質としては、薄肉アルミ箔、延伸ポリプロピレン、ポリエチレンテレフタレート、延伸ナイロンを用いることができる。
【００３６】
一方、栓部材の材質としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。
【符号の説明】
【００３７】
１，４１  採液管
２，４２  管状部材
２ａ，４２ａ  開口部
２ｂ  底
４２ｂ  落込み防止凸部
３，１３，２３，３３，４３  栓部材
３ａ，１３ａ，２３ａ，３３ａ，４３ａ  外表面
３ｂ，１３ｂ，２３ｂ，３３ｂ，４３ｂ  内表面
１３ｃ，１３ｄ  隙間充填部分
４３ｃ  外側嵌合凹部
４３ｄ  内側嵌合凹部
４３ｅ  内周側嵌合部
４３ｆ  中間嵌合部
４，４４  環状シール部材
４４ａ  側壁部分
４４ｂ  内向きフランジ部分
４４ｃ  抜け止め凸部
５，１５，２５，３５，４５  スリット
５ａ，５ｂ  端部
３５ａ  外側スリット部分
３５ｂ  内側スリット部分
１６  内側環状リブ
５０  コネクタ
５１  外筒
５１ａ  開口箇所
５２  内筒
５２ａ  連通孔
５２ｂ  先端部
５３  環状弁体
５４  弾性部材
５５  剛性支持部材
５６  円筒状部材
５７  チューブ連結部材
Ｌａ，Ｌｂ  スリット長さ
Ｄ１  落込み防止凸部の内径
Ｄ２  管状部材の内側面の内径
【図１】
2014066552.tif 000003
【図２】
2014066552.tif 000004
【図３】
2014066552.tif 000005
【図４】
2014066552.tif 000006
【図５】
2014066552.tif 000007
【図６】
2014066552.tif 000008
【図７】
2014066552.tif 000009